(57)【要約】【課題】  室外から空気を取り込むとともに、花粉やほこり、においなどを抑制して取り込んだ空気の質を向上させることができる建物開口部の換気構造体を提供する。【解決手段】  建物開口部に取り付けるものであって、換気装置と、イオン発生装置とを備え、換気装置は、定風量自然換気装置であり、イオン発生装置は、取込口と、ファンと、吹出口とを備えており、取込口に脱臭フィルタを設けてあって、ファンにより室内空気を取込口から取り込んで脱臭フィルタを通過させた後、イオンを吸着させ、吹出口から吹き出すものであり、換気装置の上部にイオン発生装置を配置した。【選択図】      図１
2014088972.tif 000002
【特許請求の範囲】
【請求項１】
建物開口部に取り付けるものであって、換気装置と、イオン発生装置とを備え、換気装置は、定風量自然換気装置であり、イオン発生装置は、取込口と、ファンと、吹出口とを備えており、取込口に脱臭フィルタを設けてあって、ファンにより室内空気を取込口から取り込んで脱臭フィルタを通過させた後、イオンを吸着させ、吹出口から吹き出すものであり、換気装置の上部にイオン発生装置を配置したことを特徴とする建物開口部の換気構造体。
【請求項２】
建物開口部に取り付けるものであって、換気装置と、イオン発生装置とを備え、換気装置は、戸体に取り付けてあって、開閉して室外空気を取り込み自在なものであり、イオン発生装置は、取込口と、ファンと、吹出口とを備えており、取込口に脱臭フィルタを設けてあって、ファンにより室内空気を取込口から取り込んで脱臭フィルタを通過させた後、イオンを吸着させ、吹出口から吹き出すものであり、上額縁に取り付けてあって、換気装置の上部にイオン発生装置を配置したことを特徴とする建物開口部の換気構造体。
【発明の詳細な説明】
【技術分野】
【０００１】
本発明は、室外の空気を室内に取り込む建物開口部の換気構造体に関する。
【背景技術】
【０００２】
従来、図９に示すように、親扉３０１と子扉３０２からなる親子扉であって、子扉３０２に上げ下げ窓３０３を設けたものがあった。この上げ下げ窓３０３は開閉自在であって、任意に換気できるようにしたものであった。
【発明の概要】
【発明が解決しようとする課題】
【０００３】
しかしながら、このような従来品は、単に風を室内に取り込むだけのものであり、換気に伴って、花粉やほこり、においなどが室内に侵入し広がってしまうことが問題であった。
【０００４】
本発明は、上記事情を鑑みたものであり、室外から空気を取り込むとともに、花粉やほこり、においなどを抑制して取り込んだ空気の質を向上させることができる建物開口部の換気構造体を提供することを目的とする。
【課題を解決するための手段】
【０００５】
本発明のうち請求項１の発明は、建物開口部に取り付けるものであって、換気装置と、イオン発生装置とを備え、換気装置は、定風量自然換気装置であり、イオン発生装置は、取込口と、ファンと、吹出口とを備えており、取込口に脱臭フィルタを設けてあって、ファンにより室内空気を取込口から取り込んで脱臭フィルタを通過させた後、イオンを吸着させ、吹出口から吹き出すものであり、換気装置の上部にイオン発生装置を配置したことを特徴とする。
【０００６】
本発明のうち請求項２の発明は、建物開口部に取り付けるものであって、換気装置と、イオン発生装置とを備え、換気装置は、戸体に取り付けてあって、開閉して室外空気を取り込み自在なものであり、イオン発生装置は、取込口と、ファンと、吹出口とを備えており、取込口に脱臭フィルタを設けてあって、ファンにより室内空気を取込口から取り込んで脱臭フィルタを通過させた後、イオンを吸着させ、吹出口から吹き出すものであり、上額縁に取り付けてあって、換気装置の上部にイオン発生装置を配置したことを特徴とする。
【発明の効果】
【０００７】
本発明のうち請求項１の発明によれば、換気装置が定風量自然換気装置であるから、機械を用いることなく、強風時には風の勢いを和らげて、室外の風の状況によらず一定量の自然の風を室内に取り込み、また排出することができる。そして、換気に伴って室内に侵入した花粉やほこり、においなどの目に見えない不快の原因物質を、イオン発生装置に取り込み、イオンを吸着させることでその働きを抑制して、空気の質を向上させることができる。また、換気装置により取り込んだ空気の流れに乗せてイオンを室内の広範囲に拡散させ、室内に漂う花粉などの働きを抑制することができる。さらに、イオン発生装置の取込口に脱臭フィルタを設けてあるので、これにより空気のにおいを抑制できる。また、イオン発生装置が換気装置の上部に設けてあるので、発生したイオンが換気装置から流入する空気に上方から降り注いで、花粉などを効率的に抑制できるとともに、イオンが換気装置から流入する空気の流れに乗って広範囲に拡散する。さらに、イオン発生装置によって空気の質を向上させるので、換気装置にフィルタを設ける必要がなく、フィルタにより換気量が落ちるという問題が生じない。また、イオン発生装置がファンを有するので、換気をしない場合でも、ファンにより室内の空気を取り込み、イオンを吸着させて吹き出すことで、空気の質を向上させることができる。さらに、イオン発生装置を床や棚などに置く必要がないので、場所をとらない。
【０００８】
本発明のうち請求項２の発明によれば、換気に伴って室内に侵入した花粉やほこり、においなどの目に見えない不快の原因物質を、イオン発生装置に取り込み、イオンを吸着させることでその働きを抑制して、空気の質を向上させることができる。また、換気装置により取り込んだ空気の流れに乗せてイオンを室内の広範囲に拡散させ、室内に漂う花粉などの働きを抑制することができる。さらに、イオン発生装置の取込口に脱臭フィルタを設けてあるので、これにより空気のにおいを抑制できる。また、イオン発生装置が換気装置の上部に設けてあるので、発生したイオンが換気装置から流入する空気に上方から降り注いで、花粉などを効率的に抑制できるとともに、イオンが換気装置から流入する空気の流れに乗って広範囲に拡散する。さらに、イオン発生装置によって空気の質を向上させるので、換気装置にフィルタを設ける必要がなく、フィルタにより換気量が落ちるという問題が生じない。また、イオン発生装置がファンを有するので、換気をしない場合でも、ファンにより室内の空気を取り込み、イオンを吸着させて吹き出すことで、空気の質を向上させることができる。さらに、イオン発生装置を床や棚などに置く必要がないので、場所をとらない。また、イオン発生装置を上額縁に取り付けてあるので、別途イオン発生装置を取り付けるために躯体に孔を開ける必要がなく、施工が容易であって、戸を設置する箇所であればどこにでも取り付けられる。さらに、イオン発生装置を上額縁に取り付けてあるので、戸体の意匠を自由に選択できる。
【図面の簡単な説明】
【０００９】
【図１】第一実施形態を示し、（ａ）は室内側正面図、（ｂ）は室外側正面図である。
【図２】第一実施形態の縦断面図（Ａ−Ａ線断面図）である。
【図３（ａ）】第一実施形態の横断面図（Ｂ−Ｂ線断面図）である。
【図３（ｂ）】第一実施形態の横断面図（Ｃ−Ｃ線断面図）である。
【図３（ｃ）】第一実施形態の横断面図（Ｄ−Ｄ線断面図）である。
【図４】イオン発生装置の構造を示す模式図である。
【図５】室内の空気の流れを示す説明図である。
【図６】第二実施形態の室内側正面図である。
【図７】第二実施形態の上額縁部分の拡大図であり、（ａ）は平面図、（ｂ）は正面図である。
【図８（ａ）】第二実施形態の上額縁部分の縦断面図（Ｅ−Ｅ線断面図）である。
【図８（ｂ）】第二実施形態の上額縁部分の縦断面図（Ｆ−Ｆ線断面図）である。
【図９】従来の換気機能を有する扉の説明図である。
【発明を実施するための形態】
【００１０】
以下、本発明の実施の形態を図面に基づいて説明する。なお、以下の第一実施形態の説明において、左右とは図１（ａ）における左右方向を示すものとする。この換気構造体の第一実施形態は、図１、図２及び図３（ａ）〜（ｃ）に示すように、換気装置１と、イオン発生装置２とを備えるものであって、建物開口部に窓１００とともに設置されるものである。より詳しくは、窓１００の側方に隣接して設けられるものであって、方立１０１と躯体１０２に挟まれている。左右には、上下に延びる二本の枠材５ａ，５ｂを有しており、この枠材５ａ，５ｂの上下長さは窓１００の高さと同じであって、それぞれ方立１０１と躯体１０２に固定されている。そして、二本の枠材５ａ，５ｂの間の室外側端には、壁面部６が設けられており、室内側に開口する空間が形成されている。さらに、二本の枠材５ａ，５ｂの間の、上端から約１／３の位置には、無目７が設けられていて、枠材５ａ，５ｂの間の空間が上下に仕切られており、その下側に換気装置１が設けられ、上側にイオン発生装置２が設けられている。
【００１１】
換気装置１は、いわゆる定風量自然換気装置であり、図１、図２及び図３（ｃ）に示すように、室内側に扉１１を有している。扉１１は、右端が吊元となって室内側に開くものであり、右側の枠材５ｂに回動自在に取り付けられている。扉１１の室内側面には、扉１１を開くための取手１２が設けられている。また、室外側の壁面部６の、無目７より下側には、左右に延びるスリット６１が、上下に多数並んで設けられており、扉１１を開放すると室内外が連通する。さらに、二本の枠材５ａ，５ｂの間には、羽根状の調整板１３が設けられている。調整板１３は、左端を回転中心として、左側の枠材５ａに回動自在に設けられている。そして、調整板１３は、バネ部材（図示省略）により室外側に（反時計回りに）付勢されている。また、調整板１３の室内側には、左右の枠材５ａ，５ｂに設けられた内部壁１４ａ，１４ｂが位置しており、両内部壁１４ａ，１４ｂの間が通気路１５となっている。調整板１３が室内側に（時計回りに）回転するほど、この通気路１５が塞がれて狭くなる。さらに、通気路１５には網戸１６が設けられている。このように構成した換気装置１によれば、扉１１を開放することで、任意に換気を行うことができる。その際、風が弱く風圧がバネ部材の付勢力を下回る場合には、調整板１３は動かず、通気路１５は最も広い状態となる。そして、風が強くなって風圧がバネ部材の付勢力を上回ると、調整板１３が付勢力に逆らって室内側に回転し、通気路１５が塞がれて狭くなる。よって、風が強くなるほど通気路１５が狭くなるので、結果として通気量は風の強さによらず一定量となり、定風量自然換気が可能となる。
【００１２】
次に、イオン発生装置２について説明する。イオン発生装置２は、取込口２１と、ファン２２と、吹出口２３と、イオン発生器２４とを備え、これらを箱形のユニットに納めた構造となっている。図１、図２、図３（ａ）及び図３（ｂ）に示すように、枠材５ａ，５ｂの間の空間の上端部にイオン発生装置２が室内側から納められ、イオン発生装置２の下側に、イオン発生装置２に電源を供給する電源装置２５が納められている。さらに電源装置２５の下側には、イオン発生装置２をオンオフするスイッチ２６が設けられており、イオン発生装置２と、電源装置２５と、スイッチ２６が、配線（図示省略）により接続されている。イオン発生装置２は、図４に示すように、箱形のものであって、下部の室内側面に空気の取込口２１が設けられ、取込口２１には脱臭フィルタ２７が取り付けられている。取込口２１の室外側にはファン２２が設けられており、さらに取込口２１の上部の室内側面には空気の吹出口２３が設けられている。そして、イオン発生装置２の上端部にはイオン発生器２４が設けられており、取込口２１から吹出口２３へ向かう空気にイオンを吸着させる構造となっている。このように構成したイオン発生装置２によれば、ファン２２を駆動することで、下部の取込口２１から室内の空気を取り込み、脱臭フィルタ２７を通過させ、この空気にイオンを吸着させて、上部の吹出口２３から吹き出す（図４中の矢印で示した流れ）。なお、イオン発生装置２の室内側面には、スリット状のカバー２８が取り付けられており、カバー２８の取込口２１部分が別体となっていて着脱自在であり、脱臭フィルタ２７を交換できるようになっている。さらに、電源装置２５及びスイッチ２６の室内側面にもカバー２９が取り付けられており、イオン発生装置２のカバー２８と意匠が統一されている。
【００１３】
このように構成した換気構造体の第一実施形態によれば、換気装置１が定風量自然換気装置であるから、機械を用いることなく、強風時には風の勢いを和らげて、室外の風の状況によらず一定量の自然の風を室内に取り込み、また排出することができる。そして、換気に伴って室内に侵入した花粉やほこり、においなどの目に見えない不快の原因物質を、イオン発生装置２に取り込み、イオンを吸着させることでその働きを抑制して、空気の質を向上させることができる。また、換気装置１により取り込んだ空気の流れに乗せてイオンを室内の広範囲に拡散させ、室内に漂う花粉などの働きを抑制することができる。さらに、イオン発生装置２の取込口２１に脱臭フィルタ２７を設けてあるので、これにより空気のにおいを抑制できる。また、イオン発生装置２が換気装置１の上部に設けてあるので、発生したイオンが換気装置１から流入する空気に上方から降り注いで、花粉などを効率的に抑制できるとともに、イオンが換気装置１から流入する空気の流れに乗って広範囲に拡散する。さらに、イオン発生装置２によって空気の質を向上させるので、換気装置１にフィルタを設ける必要がなく、フィルタにより換気量が落ちるという問題が生じない。また、イオン発生装置２がファン２２を有するので、換気をしない場合でも、ファン２２により室内の空気を取り込み、イオンを吸着させて吹き出すことで、空気の質を向上させることができる。さらに、イオン発生装置２を床や棚などに置く必要がないので、場所をとらない。また、換気装置１の上側にイオン発生装置２が位置しており、取込口２１がイオン発生装置２の下部に位置しているので、取込口２１が換気装置１に近い位置となる。これにより、室外から流入する空気をすぐに取り込んで、花粉やほこり、においなどができるだけ室内に広がらないようにしてある。そして、吹出口２３を取込口２１よりもさらに高い位置に設けてあるので、室内により広くイオンを拡散させることができる。また、取込口２１をイオン発生装置２の中の下側の方に設けたので、手が届きやすく、脱臭フィルタ２７の交換などのメンテナンスがしやすい。さらに、換気構造体の第一実施形態は、窓１００の側方に方立１０１を挟んで設けられていて、窓１００のサッシ枠と一体になっているので、別途イオン発生装置を取り付けるために躯体に孔を開ける必要がなく、施工が容易であって、窓１００を設置する箇所であればどこにでも取り付けられる。
【００１４】
なお、換気構造体の第一実施形態は、単独で設置した場合でも上記のような作用効果を奏するものであるが、一つの建物に複数の換気構造体を設置することで、より高い効果を発揮する。たとえば、図５に示すように、居住空間の四隅に換気構造体を設け、風上側の二つの換気構造体から給気し、風下側の二つの換気構造体から排気することで、室内に風上側から風下側へと向かう空気の流れが形成される。そしてこの空気の流れに乗ってイオンが居住空間の全体に拡散するので、より効果的に花粉やほこり、においなどを抑制することができる。風向きにより、どの換気構造体で給気を行い、どの換気構造体で排気を行うかは適宜変化するが、室内には、所定の何通りかの空気の流れが形成されることになる。移動可能な空気清浄機などを設置する場合、室内の空気の流れとの関係で有効に機能を発揮できない場合もあるが、このように所定の空気の流れが形成されれば、イオン発生装置を常に有効に機能させることができる。また、一般に換気には、給気と排気の両方を機械で行う第一種換気、給気を機械で行い排気口から自然排気する第二種換気、給気口から自然給気し排気を機械で行う第三種換気の三種類があるが、何れも機械を用いるものである。これに対し、上記のように複数の換気構造体を設置すれば、機械を用いることなく給気と排気を行うことができ、エネルギ消費を抑えることができる。
【００１５】
次に、本発明の換気構造体の第二実施形態について説明する。なお、以下の第二実施形態の説明において、左右とは図６における左右方向を示すものとする。この換気構造体の第二実施形態は、図６、図７、図８（ａ）及び図８（ｂ）に示すように、換気装置１と、イオン発生装置２とを備えるものであって、建物開口部に戸２００とともに設置されるものである。
【００１６】
換気装置１は、図６に示すように、戸体３に設けた縦すべり出し窓となっている。この縦すべり出し窓は、戸体３の左右方向の中心より吊元側（左側）寄りの位置に設けられており、縦長矩形の開口部に障子１７が納められている。障子１７の室内側面の上下方向中央部には引手１８が設けられており、引手１８を引くことで障子１７が室内側に開くもので、任意に開閉して換気することができる。
【００１７】
そして、戸体３の上側の躯体２０１には、上額縁４が設けられている。上額縁４は、図８（ａ）及び図８（ｂ）に示すように、躯体２０１から室内側に向けて突出する上面板４１及び下面板４２と、上面板４１から下面板４２へと延びる室内側板４５とを備えている。また、上面板４１と下面板４２のそれぞれの室内側端には、互いに対向して開口する溝部４１ａ，４２ａが形成されている。そして、室内側板４５の左右二箇所に孔を開けてあり、それぞれの孔に、イオン発生装置２と電源装置２５が室内側から納められている。イオン発生装置２及び電源装置２５は、第一実施形態と全く同じものであり、左側にイオン発生装置２が、右側に電源装置２５が位置していて、イオン発生装置２の室内側面にはカバー２８が取り付けられている。また、電源装置２５の室内側には、矩形平板状の蓋板４３が取り付けられている。蓋板４３は、上端と下端がそれぞれ上面板４１と下面板４２の溝部４１ａ，４２ａに挿入されており、電源装置２５は蓋板４３に覆われて室内側から見えなくなっている。さらに、イオン発生装置２の左側にも同様の蓋板４３が取り付けられている。また、上面板４１及び下面板４２の左右両端には、略平板状の端部部材４４を取り付けて、開口部を塞いである。なお、イオン発生装置２をオンオフするスイッチは、戸２００の周囲の壁面に設けられる（図示省略）。また、電源装置２５のメンテナンスの際には、イオン発生装置２を取り外し、蓋板４３をイオン発生装置２が取り付けられていた箇所にスライドさせて、電源装置２５を露出させる。
【００１８】
このように構成した換気構造体の第二実施形態によれば、換気に伴って室内に侵入した花粉やほこり、においなどの目に見えない不快の原因物質を、イオン発生装置２に取り込み、イオンを吸着させることでその働きを抑制して、空気の質を向上させることができる。また、換気装置１により取り込んだ空気の流れに乗せてイオンを室内の広範囲に拡散させ、室内に漂う花粉などの働きを抑制することができる。さらに、イオン発生装置２の取込口２１に脱臭フィルタ２７を設けてあるので、これにより空気のにおいを抑制できる。また、イオン発生装置２が換気装置１の上部に設けてあるので、発生したイオンが換気装置１から流入する空気に上方から降り注いで、花粉などを効率的に抑制できるとともに、イオンが換気装置１から流入する空気の流れに乗って広範囲に拡散する。さらに、イオン発生装置２によって空気の質を向上させるので、換気装置１にフィルタを設ける必要がなく、フィルタにより換気量が落ちるという問題が生じない。また、イオン発生装置２がファン２２を有するので、換気をしない場合でも、ファン２２により室内の空気を取り込み、イオンを吸着させて吹き出すことで、空気の質を向上させることができる。さらに、イオン発生装置２を床や棚などに置く必要がないので、場所をとらない。また、イオン発生装置２を上額縁４に取り付けてあるので、別途イオン発生装置を取り付けるために躯体に孔を開ける必要がなく、施工が容易であって、戸２００を設置する箇所であればどこにでも取り付けられる。さらに、イオン発生装置２を上額縁４に取り付けてあるので、戸体３の意匠を自由に選択できる。また、上額縁４の室内側に取り付けた蓋板４３は、上端と下端が溝部４１ａ，４２ａに挿入されており、左右にスライドするだけで、端部部材４４を取り外さないと取り外せない構成となっているので、メンテナンス時に蓋板４３が落下するおそれがない。
【００１９】
本発明は、上記の実施形態に限定されない。たとえば、換気装置の構成について、第一実施形態の定風量自然換気装置は、定風量の換気を行うことができるものであれば、どのようなものであってもよいし、第二実施形態の縦すべり出し窓は、それ以外の窓種でもよいし、窓以外の開閉自在な構造であってもよい。また、換気装置の大きさを工夫して換気量を調整すれば、冬でも寒いことはないので、この換気構造体を２４時間換気システムに適用することもできる。
【符号の説明】
【００２０】
１  換気装置
２  イオン発生装置
２１  取込口
２２  ファン
２３  吹出口
２７  脱臭フィルタ
３  戸体
４  上額縁
【図１】
2014088972.tif 000003
【図２】
2014088972.tif 000004
【図３（ａ）】
2014088972.tif 000005
【図３（ｂ）】
2014088972.tif 000006
【図３（ｃ）】
2014088972.tif 000007
【図４】
2014088972.tif 000008
【図６】
2014088972.tif 000009
【図７】
2014088972.tif 000010
【図８（ａ）】
2014088972.tif 000011
【図８（ｂ）】
2014088972.tif 000012
【図９】
2014088972.tif 000013
【図５】
2014088972.tif 000014